(57)【要約】【課題】鉛筆の芯を押し圧して送り出すことや、被覆する木製の部分を削る必要がない鉛筆の芯を提供する。【解決手段】ボールペンの内部に設けられ細長い棒状を呈し、且つ内部に設けられたナノコーティングされた粉末状の炭素鉄と、一方が大きく、他方が小さい孔を具えてなるボールペンチップと、該ボールペンチップの開口端に回動自在に抱持された磁性を具えたボールとを具えてなる本体を含んでなり、該ボールが回転すると、粉末状の炭素鉄を吸着するとともに、該炭素鉄が外部に送り出されて文字を書く目的を達成することができる構造からなる。【選択図】図１
2010069755.tif 000002
【特許請求の範囲】
【請求項１】
ボールペンの内部に設けられ細長い棒状を呈し、且つ内部に設けられたナノコーティングされた粉末状の炭素鉄と、一方が大きく、他方が小さい孔を具えてなるボールペンチップと、該ボールペンチップの開口端に回動自在に抱持された磁性を具えたボールとを具えてなる本体を含んでなり、該ボールが回転すると、粉末状の炭素鉄を吸着するとともに、該炭素鉄が外部に送り出されて文字を書くことができる構造からなることを特徴とするボールペン用鉛筆の芯。
【請求項２】
前記ボールペンチップが、内部にガイド孔を軸方向に形成し、粉末状の炭素鉄とボールとの間に設けられることを特徴とする請求項１に記載のボールペン用鉛筆の芯。
【請求項３】
前記ボールペンチップの開口端とボールとの間にボールを抱持するための複数の凸部が設けられることを特徴とする請求項１に記載のボールペン用鉛筆の芯。
【請求項４】
前記ガイド孔がロート状を呈することを特徴とする請求項２に記載のボールペン用鉛筆の芯。
【発明の詳細な説明】
【技術分野】
【０００１】
この発明は、ボールペン用鉛筆の芯に関し、特にボールペンの芯の構造と特性を具え、ボールペンに設けて使用するボールペン用鉛筆の芯に関する。
【背景技術】
【０００２】
従来の鉛筆の芯を利用した製品は大きく二つの種類に分けられる。一つは伝統的な鉛筆で、もう一方はシャープペンシルがある。
【０００３】
該伝統的な鉛筆は、木製の部分で鉛筆の芯を被覆しているため、文字を書く場合には、木製の部分の一部を削り落とさなければならないため、使用上不便である。
【０００４】
のちにシャープペンシルが誕生した。該シャープペンシルは、鉛筆の芯をペン本体の内部に充填し、輸送手段で鉛筆の芯が一端から外部に突出するように送り、鉛筆の芯で文字を書く目的を達成する。
【０００５】
しかしながら、シャープペンシルに設ける鉛筆の芯は、芯径が非常に小さい。よって、力を入れて文字を書くと、鉛筆の芯が折れて、続けて文字を書くことができない。
【０００６】
また、鉛筆の芯が折れると、その後、再度鉛筆の芯を押し圧して送り出さなければならないため、使用上非常に不便である。
【０００７】
このため、シャープペンシルは、ボールペンの便利さを上回ることができなかった。
【発明の開示】
【発明が解決しようとする課題】
【０００８】
この発明は、鉛筆の芯を押し圧して送り出すことや、被覆する木製の部分を削る必要がない鉛筆の芯を提供することを課題とする。
【課題を解決するための手段】
【０００９】
そこで本発明者は、従来の技術に鑑み鋭意研究を重ねた結果、ボールペンの内部に設けられ細長い棒状を呈し、且つ内部に設けられたナノコーティングされた粉末状の炭素鉄と、一方が大きく、他方が小さい孔を具えてなるボールペンチップと、該ボールペンチップの開口端に回動自在に抱持された磁性を具えたボールとを具えてなる本体を含んでなり、該ボールが回転すると、粉末状の炭素鉄を吸着するとともに、該炭素鉄が外部に送り出されて文字を書く目的を達成することができるボールペン用鉛筆の芯の構造によって課題を解決できる点に着眼し、係る知見に基づき本発明を完成させた。
以下、この発明について具体的に説明する。
【００１０】
請求項１に記載するボールペン用鉛筆の芯は、ボールペンの内部に設けられ細長い棒状を呈し、且つ内部に設けられたナノコーティングされた粉末状の炭素鉄と、一方が大きく、他方が小さい孔を具えてなるボールペンチップと、該ボールペンチップの開口端に回動自在に抱持された磁性を具えたボールとを具えてなる本体を含んでなり、該ボールが回転すると、粉末状の炭素鉄を吸着するとともに、該炭素鉄が外部に送り出されて文字を書く目的を達成することができる構造からなる。
【００１１】
請求項２に記載のボールペン用鉛筆の芯は、請求項１におけるボールペンチップが、内部にガイド孔を軸方向に形成し、粉末状の炭素鉄とボールとの間に設けられる。
【００１２】
請求項３に記載のボールペン用鉛筆の芯は、請求項１におけるボールペンチップの開口端とボールとの間にボールを抱持するための複数の凸部が設けられる。
【００１３】
請求項４に記載のボールペン用鉛筆の芯は、請求項２におけるガイド孔がロート状を呈する。
【発明の効果】
【００１４】
この発明のボールペン用鉛筆の芯は、文字を書く場合に力を入れても折れにくく、芯が折れてもすぐに再び書くことができるという効果を有する。
【発明を実施するための最良の形態】
【００１５】
この発明は、鉛筆の芯を押し圧して送り出すことや、被覆する木製の部分を削る必要がない鉛筆の芯であって、ボールペンの内部に設けられ細長い棒状を呈し、且つ内部に設けられたナノコーティングされた粉末状の炭素鉄と、一方が大きく、他方が小さい孔を具えてなるボールペンチップと、該ボールペンチップの開口端に回動自在に抱持された磁性を具えたボールとを具えてなる本体を含んでなり、該ボールが回転すると、粉末状の炭素鉄を吸着するとともに、該炭素鉄が外部に送り出されて文字を書く目的を達成することができる。
係る構成のボールペン用鉛筆の芯について、その構造と特徴を詳述するために具体的な実施例を挙げ、以下に説明する。
【実施例】
【００１６】
図１は、この発明のボールペン用鉛筆の芯を示したものであって、図２は、該ボールペン用鉛筆の芯の部分拡大図である。
【００１７】
図１に開示するように、この発明のボールペン用鉛筆の芯１０は、従来のボールペンの芯と略同様の形態を呈し、ボールペンのスリーブ２（図３参照）の内部に設ける鉛筆の芯の本体１を含んでなる。
【００１８】
該本体１は、細く長い棒状を呈し、内部に設けられたナノコーティングされた粉末状の炭素鉄１３と、一方が大きく、他方に小さい孔２１（図３参照）を具えたボールペンチップ１１と、該ボールペンチップ１１の開口端１１１に回動自在に抱持された磁性を具えたボール１２とを含んでなる。
【００１９】
該ボール１２は、回転する場合、粉末状の炭素鉄１３を吸着するとともに、該粉末状の炭素鉄１３を外部に送り出して文字を書く目的を達成する。
【００２０】
この発明の実施形態では、ナノコーティングした粉末状の炭素鉄１３をボール１２の上にスムーズに落とすために、ボールペンチップ１１の内部にロート状のガイド孔１４を軸方向に形成し、該ガイド孔１４は、粉末状の炭素鉄１３とボール１２との間に設けられる。
【００２１】
また、ボールペンチップ１１の開口端１１１がボール１２を挟持するため、ボールペンチップ１１の開口端１１１と、ボール１２の間には複数の凸部１１２が設けられる。
【００２２】
上述のような構造を組み合わせてこの発明のボールペン用鉛筆の芯１０がボールペンに設けられる。
【００２３】
図３は、この発明の鉛筆の芯をボールペンに設けた状態を示したものである。
【００２４】
図面によれば、使用する場合には、ボールペンの芯と同様に、直接スリーブ２の一端を開いてボールペン用鉛筆の芯１０をスリーブ２の内部に設ける。
【００２５】
スリーブ２に組み合わせれば、直接文字を書くことができるため、従来のシャープペンシルのようにペンヘッドを押して鉛筆の芯を押し出す、或いは芯を被覆する木製の部分を削るなど使用上の不便さを省略することができる。
【００２６】
該本体１内部に設けられた粉末状の炭素鉄１３を使い終わった場合には、ボールペンの場合と同様に、新しい本体１に取り替えれば再び使用することができる。
【００２７】
よって、使用上非常に便利で、従来の鉛筆の使用上の不便さを改善することができる。
【００２８】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００２９】
【図１】この発明の鉛筆の芯を示した斜視図である。
【図２】図１に開示する鉛筆の芯を示した部分拡大図である。
【図３】図１に開示する鉛筆の芯をペンケースに設けた状態を示した説明図である。
【符号の説明】
【００３０】
１       本体
１０     ボールペン用鉛筆の芯
１１     ボールペンチップ
１１１   開口端
１１２   凸部
１２     ボール
１３     粉末状の炭素鉄
１４     ガイド孔
２       スリーブ
２１     孔
【図１】
2010069755.tif 000003
【図２】
2010069755.tif 000004
【図３】
2010069755.tif 000005